(57)【要約】【課題】位置情報に基づいて進捗を適切に管理することのできる技術を提供する。【解決手段】ネットワークを介して接続するユーザ端末と管理サーバとを有する進捗管理システムにおいて、ユーザ端末が、管理対象とする複数の工程をユーザに提示する提示部と、ユーザの操作によって、複数の工程から少なくとも一つの工程を選択する選択部と、位置情報を取得する位置情報取得部と、選択された工程と位置情報とを対応付けて工程の進捗情報として管理サーバに送信する送信制御部と、を備え、管理サーバが、進捗情報を受信する受信部と、ユーザ端末から受信した進捗情報に含まれる位置情報が、進捗情報に含まれる工程と対応付けて予め記憶部に記憶されている位置情報と適合するか否かを判定する判定部と、進捗情報の位置情報が記憶部に予め記憶されている位置情報と適合した場合に進捗情報を記憶部に登録する登録部とを備える。【選択図】図１
2015212916.tif 000002
【特許請求の範囲】
【請求項１】
ネットワークを介して接続するユーザ端末と管理サーバとを有する進捗管理システムにおいて、
前記ユーザ端末が、
管理対象とする複数の工程をユーザに提示する提示部と、
ユーザの操作によって、前記複数の工程から少なくとも一つの工程を選択する選択部と、
位置情報を取得する位置情報取得部と、
前記選択された工程と前記位置情報とを対応付けて前記工程の進捗情報として前記管理サーバに送信する送信制御部と、を備え、
前記管理サーバが、
前記進捗情報を受信する受信部と、
前記ユーザ端末から受信した前記進捗情報に含まれる位置情報が、前記進捗情報に含まれる前記工程と対応付けて予め記憶部に記憶されている位置情報と適合するか否かを判定する判定部と、
前記進捗情報の位置情報が前記記憶部に予め記憶されている位置情報と適合した場合に前記進捗情報を前記記憶部に登録する登録部と、
を備える進捗管理システム。
【請求項２】
前記ユーザ端末が、
前記工程に係る画像を取得する画像取得部を備え、
前記送信制御部が、前記選択された工程と前記位置情報と前記画像とを対応付けて前記工程の進捗情報として前記管理サーバに送信する請求項１に記載の進捗管理システム。
【請求項３】
ネットワークを介して管理サーバと接続するユーザ端末であって、
管理対象とする複数の工程をユーザに提示する提示部と、
ユーザの操作によって、前記複数の工程から少なくとも一つの工程を選択する選択部と、
位置情報を取得する位置情報取得部と、
取得した前記位置情報が、前記工程と対応付けて予め記憶部に記憶されている位置情報と適合するか否かを判定する判定部と、
取得した前記位置情報が前記記憶部に予め記憶されている位置情報と適合した場合に前記選択された工程と前記位置情報とを対応付けて前記工程の進捗情報として前記管理サーバに送信する送信制御部と、
を備えるユーザ端末。
【請求項４】
ネットワークを介して接続するユーザ端末と管理サーバとを有する進捗管理システムにおける進捗管理方法であって、
前記ユーザ端末が、
管理対象とする複数の工程をユーザに提示するステップと、
ユーザの操作によって、前記複数の工程から少なくとも一つの工程を選択するステップと、
位置情報を取得するステップと、
前記選択された工程と前記位置情報とを対応付けて前記工程の進捗情報として前記管理サーバに送信するステップと、を実行し、
前記管理サーバが、
前記進捗情報を受信するステップと、
少なくとも前記工程の位置情報を予め記憶する記憶部から、受信した前記進捗情報の工程と対応する位置情報を抽出するステップと、
前記ユーザ端末から受信した前記進捗情報に含まれる位置情報が、前記進捗情報に含まれる前記工程と対応付けて予め記憶部に記憶されている位置情報と適合するか否かを判定するステップと、
前記進捗情報の位置情報が前記記憶部に予め記憶されている位置情報と適合した場合に前記進捗情報を前記記憶部に登録するステップと、
を実行する進捗管理方法。
【請求項５】
ネットワークを介して管理サーバと接続するユーザ端末が、
管理対象とする複数の工程をユーザに提示するステップと、
ユーザの操作によって、前記複数の工程から少なくとも一つの工程を選択する選択部と、
位置情報を取得するステップと、
取得した前記位置情報が、前記工程と対応付けて予め記憶部に記憶されている位置情報と適合するか否かを判定するステップと、
取得した前記位置情報が前記記憶部に予め記憶されている位置情報と適合した場合に前記選択された工程と前記位置情報とを対応付けて前記工程の進捗情報として前記管理サーバに送信するステップと、
を実行する進捗管理方法。
【発明の詳細な説明】
【技術分野】
【０００１】
本発明は、進捗を管理する技術に関する。
【背景技術】
【０００２】
建築工事では、コンクリート基礎の打設、配筋、左官、給排水管の敷設、内装、資材の搬入といった細分化された様々な作業工程を経ることが必要であり、各工程の進行状況を常に把握し、予め定めた進捗工程表に沿って各工程が効率よく進行するよう管理していくことになる。
【０００３】
また、建築工事の進捗状況を管理するものとして、特許文献１に開示される施行検査管理システムが提案されている。
【先行技術文献】
【特許文献】
【０００４】
【特許文献１】特許第５０８４０４５号公報
【発明の概要】
【発明が解決しようとする課題】
【０００５】
工事の施行状況を記録するための一手段として、「○月○日工事」のように記した黒板とともに工事現場の写真を撮ることが行われている。
【０００６】
しかしながら、単に工事現場を撮影しただけの現場写真では、真にその工事現場で撮影されたものであるとは限らない。例えば、複数の工事を並行して施行しているような場合に、他の工事現場取り違えて進捗を記録してしまう可能性がある。このように誤った記録がなされると、その後の段取りに不都合が生じ、工事遅延の原因になるという問題があった。
【０００７】
また、建築工事に限らず、複数の工程を予定通り進行するため、各工程の進捗を適切に管理したいという要求があった。
【０００８】
そこで本発明は、位置情報に基づいて進捗を適切に管理する技術の提供を目的とする。
【課題を解決するための手段】
【０００９】
上記課題を解決するため、本発明の進捗管理システムは、以下の構成を採用した。
ネットワークを介して接続するユーザ端末と管理サーバとを有する進捗管理システムにおいて、
前記ユーザ端末が、
管理対象とする複数の工程をユーザに提示する提示部と、
ユーザの操作によって、前記複数の工程から少なくとも一つの工程を選択する選択部と、
位置情報を取得する位置情報取得部と、
前記選択された工程と前記位置情報とを対応付けて前記工程の進捗情報として前記管理サーバに送信する送信制御部と、を備え、
前記管理サーバが、
前記進捗情報を受信する受信部と、
前記ユーザ端末から受信した前記進捗情報に含まれる位置情報が、前記進捗情報に含まれる前記工程と対応付けて予め記憶部に記憶されている位置情報と適合するか否かを判定
する判定部と、
前記進捗情報の位置情報が前記記憶部に予め記憶されている位置情報と適合した場合に前記進捗情報を前記記憶部に登録する登録部と、
を備える。
【００１０】
前記ユーザ端末は、
前記工程に係る画像を取得する画像取得部を備え、
前記送信制御部が、前記選択された工程と前記位置情報と前記画像とを対応付けて前記工程の進捗情報として前記管理サーバに送信しても良い。
【００１１】
上記課題を解決するため、本発明のユーザ端末は、以下の構成を採用した。
ネットワークを介して管理サーバと接続するユーザ端末であって、
管理対象とする複数の工程をユーザに提示する提示部と、
ユーザの操作によって、前記複数の工程から少なくとも一つの工程を選択する選択部と、
位置情報を取得する位置情報取得部と、
取得した前記位置情報が、前記工程と対応付けて予め記憶部に記憶されている位置情報と適合するか否かを判定する判定部と、
取得した前記位置情報が前記記憶部に予め記憶されている位置情報と適合した場合に前記選択された工程と前記位置情報とを対応付けて前記工程の進捗情報として前記管理サーバに送信する送信制御部と、
を備える。
【００１２】
上記課題を解決するため、本発明の進捗管理方法は、以下の構成を採用した。
ネットワークを介して接続するユーザ端末と管理サーバとを有する進捗管理システムにおける進捗管理方法であって、
前記ユーザ端末が、
管理対象とする複数の工程をユーザに提示するステップと、
ユーザの操作によって、前記複数の工程から少なくとも一つの工程を選択するステップと、
位置情報を取得するステップと、
前記選択された工程と前記位置情報とを対応付けて前記工程の進捗情報として前記管理サーバに送信するステップと、を実行し、
前記管理サーバが、
前記進捗情報を受信するステップと、
少なくとも前記工程の位置情報を予め記憶する記憶部から、受信した前記進捗情報の工程と対応する位置情報を抽出するステップと、
前記ユーザ端末から受信した前記進捗情報に含まれる位置情報が、前記進捗情報に含まれる前記工程と対応付けて予め記憶部に記憶されている位置情報と適合するか否かを判定するステップと、
前記進捗情報の位置情報が前記記憶部に予め記憶されている位置情報と適合した場合に前記進捗情報を前記記憶部に登録するステップと、
を実行する。
【００１３】
前記進捗管理方法において、
前記ユーザ端末は、
前記工程に係る画像を取得する画像取得部を備え、
前記送信制御部が、前記選択された工程と前記位置情報と前記画像とを対応付けて前記工程の進捗情報として前記管理サーバに送信しても良い。
【００１４】
また、本発明は、上記進捗管理方法をコンピュータに実行させるためのプログラムであっても良い。更に、本発明は、このプログラムをコンピュータが読み取り可能な記録媒体に記録したものであっても良い。コンピュータに、この記録媒体のプログラムを読み込ませて実行させることにより、その機能を提供させることができる。
【００１５】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ（Compact Disc）、ＣＤ−Ｒ／Ｗ、ＤＶＤ（Digital Versatile Disk）、ブルーレイディスク（Blu-ray(登録商標) Disc）、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【発明の効果】
【００１６】
本発明によれば、位置情報に基づいて進捗を適切に管理することができる。
【図面の簡単な説明】
【００１７】
【図１】図１は、進捗管理システムの概略構成を示す図である。
【図２】図２は、コンピュータの一例を示す装置構成図である。
【図３】図３は、進捗ＤＢで管理するデータの一例を示す図である。
【図４】図４は、進捗管理方法の説明図である。
【図５】図５は、進捗管理方法の説明図である。
【図６】図６は、工程の選択動作説明図である。
【図７】図７は、画像を撮影し、進捗情報として送信する際の説明図である。
【図８】図８は、進捗管理方法の説明図である。
【図９】図９は、進捗情報の出力例を示す図である。
【図１０】図１０は、進捗情報の表示例を示す図である。
【図１１】図１１は、進捗情報の表示例を示す図である。
【図１２】図１２は、変形例１の進捗管理方法の説明図である。
【図１３】図１３は、変形例２の進捗管理システムの概略構成を示す図である。
【発明を実施するための形態】
【００１８】
以下、図面を参照して、一実施形態に係る進捗管理システムについて説明する。以下の実施形態の構成は例示であり、本進捗管理システムは実施形態の構成には限定されない。
《装置構成》
本発明の実施形態の構成を、図１に示し説明する。ここで、図１は、本実施形態における建築工事の進捗管理システムの概略構成を示す図である。
【００１９】
図１に示すように、進捗管理システムは、インターネットや携帯電話回線、ＬＡＮやイントラネットといった閉域網等の通信回線Ｎを介して接続するユーザ端末１と管理サーバ２とを有する。
【００２０】
ユーザ端末１は、提示部１１や、選択部１２、位置情報取得部１３、送信制御部１４を備えている。
提示部１１は、管理対象とする複数の工程をユーザに提示する。
選択部１２は、ユーザの操作を受けて、複数の工程から少なくとも一つの工程を選択する。
【００２１】
位置情報取得部１３は、ＧＰＳ（Global Positioning System）やＷｉＦｉのアクセス
ポイントから、当該ユーザ端末１の現在位置を示す位置情報を取得する。これに限らず、位置を特定できるものであれば、他の位置情報を取得しても良い。
送信制御部１４は、選択された工程と位置情報とを対応付けて前記工程の進捗情報として管理サーバ２へ送信する。
【００２２】
ユーザ端末１は、建築工事の現場監督者や作業者等のユーザが所持する端末である。本実施形態のユーザ端末１は、携帯電話やスマートフォンといった通信機能を有した情報処理装置である。これに限らず、ユーザ端末１は、上記各部１１〜１４の機能を有するものであれば、タブレット端末、携帯ゲーム機、デジタルカメラ、パーソナルコンピュータ、体重計、カーナビゲーションシステム、ＰＯＳ（point of sale system）端末等であっても良い。また、ユーザ端末１は、ダンプカーや建設関連の重機、ＦＡ機械、自動販売機、自動車、自転車などに搭載された情報処理装置でも良い。更に、腕時計型やメガネ型のウェアラブルコンピュータであっても良い。
【００２３】
管理サーバ２は、受信部２１や、抽出部２２、判定部２３、登録部２４を備えている。
受信部２１は、通信回線Ｎを介してユーザ端末１から進捗情報を受信する。
抽出部２２は、少なくとも前記工程の位置情報を予め記憶する進捗ＤＢ（記憶部）２５から、受信した前記進捗情報の工程と対応する位置情報を抽出する。
【００２４】
判定部２３は、ユーザ端末１から受信した進捗情報に含まれる位置情報が、進捗情報に含まれる工程と対応付けて予め進捗ＤＢ２５に記憶されている位置情報と適合するか否かを判定する。
登録部２４は、受信した進捗情報の位置情報が進捗ＤＢ２５に予め記憶されている位置情報と適合した場合に当該進捗情報を進捗ＤＢ２５に登録する。
【００２５】
図２は、コンピュータの一例を示す装置構成図である。ユーザ端末１及び管理サーバ２は、図２に示すようなコンピュータである。図２に示すコンピュータ１００は、ＣＰＵ（Central Processing Unit）１０１、主記憶装置１０２、補助記憶装置１０３、通信ＩＦ
（Interface）１０４、入出力ＩＦ（Interface）１０５、ドライブ装置１０６、通信バス１０７を備えている。ＣＰＵ１０１は、プログラム（「ソフトウェア」又は「アプリケーション」とも呼ぶ）を実行することにより本実施の形態に係る処理を行う。主記憶装置１０２は、ＣＰＵ１０１が読み出したプログラムやデータをキャッシュしたり、ＣＰＵの作業領域を展開したりする。
【００２６】
主記憶装置は、具体的には、ＲＡＭ（Random Access Memory）やＲＯＭ（Read Only Memory）等である。補助記憶装置１０３は、ＣＰＵ１０１により実行されるプログラムや、本実施の形態で用いる設定情報などを記憶する。補助記憶装置１０３は、具体的には、ＨＤＤ（Hard-disk Drive）やＳＳＤ（Solid State Drive）、フラッシュメモリ等である。主記憶装置１０２や補助記憶装置１０３は、ユーザ端末１や管理サーバ２において記憶部として働く。また、主記憶装置１０２や補助記憶装置１０３は、管理サーバ２において進捗ＤＢ２５及び画像データを格納する手段として働く。通信ＩＦ１０４は、他のコンピュータとの間でデータを送受信する。通信ＩＦ１０４は、具体的には、有線又は無線のネットワークカード等である。ユーザ端末１及び管理サーバ２は、通信ＩＦ１０４を介してインターネットや携帯電話回線、ＬＡＮやイントラネットといった閉域網等の通信回線Ｎに接続されている。
【００２７】
入出力ＩＦ１０５は、入出力装置と接続され、ユーザから操作を受け付けたり、ユーザへ情報を提示したりする。入出力装置は、具体的には、キーボード、マウス、ディスプレイ（表示部）、タッチパネル等である。ドライブ装置１０６は、磁気ディスク、光磁気ディスク、光ディスク等の記憶媒体に記録されたデータを読み出したり、記憶媒体にデータ
を書き込んだりする。以上のような構成要素が、通信バス１０７で接続されている。なお、これらの構成要素はそれぞれ複数設けられていてもよいし、一部の構成要素（例えば、ドライブ装置１０６等）を設けないようにしてもよい。また、入出力装置がコンピュータと一体に構成されていてもよい。また、ドライブ装置１０６で読み取り可能な可搬性の記憶媒体や、フラッシュメモリのような可搬性の補助記憶装置１０３、通信ＩＦ１０４などを介して、本実施の形態で実行されるプログラムが提供されるようにしてもよい。そして、ＣＰＵ１０１が所定のプログラムを実行することにより、図２に示したコンピュータを前述のユーザ端末１や管理サーバ２等として動作させる。
【００２８】
図３は、進捗ＤＢ２５で管理するデータの一例を示す図である。図３に示すように、進捗ＤＢ２５は、物件名３１、位置情報３２、工程毎の進捗情報３３が対応付けられて記憶されている。
【００２９】
物件名３１は、物件を一意に識別するための識別情報である。識別情報としては、この他、物件毎に付したＩＤ（Identification）やシリアルナンバー、コード等を用いても良い。位置情報３２は、当該物件の位置、即ち各工程が実施される位置を示す情報であり、物件の登録時に予め登録される。進捗情報３３は、見積もりや設計、受注、配筋、基礎打設などの工程毎の進捗状況を示す情報である。なお、図３では、進捗情報３３として、完了日のみを示したが、これに限らず、作業者名、監督者名、コメント、画像、時間等の情報を記憶しても良い。
【００３０】
次に、図４〜図７を用いて、ユーザ端末１及び管理サーバ２が実行する進捗管理方法について説明する。
【００３１】
ユーザが建築工事の工事現場でユーザ端末１のプログラムを起動させると、ユーザ端末１は、図４に示すように、ユーザ端末１の個体を識別するための符号であるＩＤおよび暗証番号であるパスワード等の認証情報を管理サーバ２へ送信して認証を要求する（Ｓ１０）。
【００３２】
管理サーバ２は、受信したＩＤ及びパスワードを記憶部に予め登録されている認証情報と照合して(ステップＳ２０)、一致していれば管理対象の工程の情報をユーザ端末１へ送信する(ステップＳ３０)。ユーザ端末１は、受信した工程の情報を記憶部に記憶する（ステップＳ４０）。このとき管理サーバ２は、全ての工程の情報をユーザ端末へ送信しても良いが、予め前記ＩＤ毎に担当する物件や工程を定めておき、担当する物件に係る工程、若しくは担当する工程の情報を抽出してユーザ端末１へ送信しても良い。更に、管理サーバ２は、認証した日を基準に、当日や前後１週間等、所定期間内に実施する予定或るいは実施した工程の情報を抽出して送信しても良い。また、ユーザ端末１がログイン時に現在位置の情報を管理サーバ２へ送信し、管理サーバ２は、このユーザ端末１の現在位置から所定範囲内にある物件に関する工程の情報を抽出して当該ユーザ端末１へ送信しても良い。
【００３３】
次に、ユーザが図５の処理を起動させると、ユーザ端末１は、工程の情報を読み出して図６に示すように表示部に表示させ、ユーザに提示する(ステップＳ１１０)。なお、工程の提示は、表示に限らず、図示しないスピーカから音声メッセージを出力して、ユーザに提示（報知）するものでも良い。ユーザ端末１は、工程の情報を提示する際、記憶部に記憶された全ての情報を提示してもよいが、位置情報を取得して現在位置から所定範囲内にある物件に係る工程の情報を抽出して提示するようにしても良い。また、ユーザ端末１は、現在日時から所定期間内に実施する工程の情報或は実施した工程の情報を抽出して提示するようにしても良い。
【００３４】
ユーザが提示された工程の選択操作を行うと、ユーザ端末１は、この操作に応じて工程を選択する(ステップＳ１２０)。図６では、工程の情報をツリー構造で表示した例を示している。図６において、表示例４１は、物件名の一覧を示し、この物件名を選択すると、表示例４２の大項目一覧が表示され、この大項目を選択すると、表示例４３の小項目一覧が表示される。そして、小項目を選択すると、表示例４４に示すように、進捗情報を登録する工程の一覧が表示される。図６の例では、テーブルを調達する工程が選択された例を示している。なお、進捗情報の登録が完了しているか否かを示すマーク４５を工程毎に表示することで、登録が必要な工程を明示するようにしても良い。
【００３５】
次にユーザ端末１は、工程が完了したことが分かる画像の撮影を促し(ステップＳ１３
０)、ユーザの操作によって撮影し、当該工程に係る画像を取得する(ステップＳ１４０)
。例えば、図７の表示例４６に示すように、サンプル画像４６Ａと共に、撮影を促すメッセージを表示し、確認ボタン４６Ｂが選択されると、表示例４７を表示する。表示例４７において、画像の登録ボタン４７Ａが選択されると、ユーザ端末１は、カメラ機能を起動して撮影を行う。なお、本例では撮影によって画像を取得したが、これに限らず撮影済みの画像から選択することや他の装置から取得しても良い。なお、画像の取得を必要としない工程の場合は、ステップＳ１３０、Ｓ１４０を省略しても良い。表示例４９は、取得した画像４９Ａを選択された工程の情報４９Ｂと共に表示した例を示す。また、ユーザがコメント欄４９Ｃにコメントを入力した場合、ユーザ端末１は、このコメントを記憶する。
【００３６】
また、ユーザ端末１は、ＧＰＳ等により、現在の位置情報を取得する(ステップＳ１５
０)。なお、画像を撮影済みの画像から選択した場合や他の装置から取得した場合には、
ステップＳ１５０で現在の位置情報を取得するのではなく、画像のＥｘｉｆ情報を用いても良い。
【００３７】
そして、送信ボタン４９Ｄが選択されると、ユーザ端末１は、選択された工程と、画像、コメント、位置情報を対応付けて進捗情報とし、管理サーバ２へ送信する(ステップＳ
１６０)。表示例５０は、送信後の状態を示している。
【００３８】
管理サーバ２は、受信した進捗情報の工程に基づき、進捗ＤＢ２５から一致する工程の情報を抽出し(ステップＳ１７０)、受信した進捗情報に含まれる位置情報が、進捗ＤＢ２５に登録されている位置情報と適合するか否かを判定する(ステップＳ１８０)。なお、位置情報は、完全に一致することに限らず、進捗ＤＢ２５に登録されている位置情報を基準に所定範囲内、例えば半径１００ｍ以内であれば適合したと判定する。また、進捗ＤＢ２５に登録する位置情報を物件の住所とし、ユーザ端末１から位置情報として緯度・経度の情報を受信した場合に、住所と緯度・経度とを対応付けた対応テーブルを参照して、進捗ＤＢ２５の住所とユーザ端末１から受信した緯度・経度とが対応していれば、適合したと判定しても良い。
【００３９】
この結果、適合していなければ管理サーバ２はエラーメッセージをユーザ端末に送信し(ステップＳ１９０)、適合していれば進捗情報を進捗ＤＢ２５に登録する(ステップＳ２
００)。なお、適合していない場合には、適合していない旨の情報を付加した状態で当該
進捗情報を進捗ＤＢ２５に登録しても良い。
【００４０】
図５のステップＳ２００で進捗情報が入力され、進捗が更新された場合、管理サーバ２は、図８の処理を起動させ、報告書の出力を行うか否かを判定する(ステップＳ２１０)。例えば見積りや費用の請求といった出力の必要な工程が完了した場合や、一連の工程がすべて完了した場合など、所定の工程が完了した場合に出力を行うと判定する。この結果、報告書の出力を行うと判定した場合(ステップＳ２１０、Ｙｅｓ)、記憶部から出力する文書のテンプレートを読出し(ステップＳ２２０)、物件名や工程を示す情報、画像、コメン
トといった当該工程の情報をテンプレートに入力して出力する(ステップＳ２３０、２４
０)。図９は、出力例を示す図である。図９の例では、物件名（案件名）８１、物件住所
（位置情報）８２、作業完了日（進捗情報の送信日）８３、工程名（作業名）８４、画像８５、担当者名８６を進捗ＤＢ２５から読み出してテンプレートへ挿入し、報告書として診察する例を示している。この工程の情報の出力は、印刷に限らず、電子メール等で他のコンピュータへ送信するものでも良い。
【００４１】
また、進捗ＤＢ２５に入力した情報は、図１０に示すように一覧表５１や工程表５２等の形式で出力することができる。更に、図１１に示すように工程ごとに画像を表示させて確認することもできる。
【００４２】
以上のように、本実施形態によれば、位置情報に基づいて進捗情報を登録するので、別の物件の進捗を登録してしまうといった誤りや、進捗を偽って登録するといったことを防止でき、適切な進捗管理を行うことができる。
【００４３】
なお、上記実施形態では、建築工事の進捗の管理の例を示したが、本発明の進捗管理システムは、これに限らず、他の工程の進捗管理に用いることもできる。
【００４４】
例えば、選挙の開票速報において、開票所毎に、到着、開票状況の取得、集計、報告といった工程を行う場合に、調査員（ユーザ）が調査等を行った結果を進捗情報としてユーザ端末１から管理サーバ２へ送信する際に、進捗情報の位置情報と進捗ＤＢ２５に予め登録した投票所の位置情報とを照合することで、調査結果等を間違って登録することを防止して、適切に進捗を管理できる。
【００４５】
また、選挙の出口調査において、投票所毎に、調査、集計、報告といった工程を行う場合に適用しても良い。更に本発明の進捗管理システムは、介護の巡回や、産業廃棄物の処理、ゴミの収集、製造業における製造工程、イベント等における各スタッフのタスク等の進捗管理にも利用できる。
【００４６】
《変形例１》
図１２は、上記実施形態の変形例である。上記実施形態では、図５に示すように管理サーバ２が、受信した進捗情報に含まれる位置情報と、進捗ＤＢ２５に登録されている位置情報とが適合するか否かを判定したが、これに限らず、ユーザ端末１が、取得した位置情報と登録済み位置情報とが適合しているか否かを判定しても良い。なお、その他の構成は前述の実施形態と同じであるため、同一の要素には同符号を付す等して再度の説明を省略する。
【００４７】
先ず、本変形例のユーザ端末１は、前述の図４と同様に管理サーバ２にログインし、工程の情報を取得する。このとき管理サーバ２は進捗ＤＢ２５に登録されている位置情報を各工程の情報に付加して送信し、ユーザ端末１は、この位置情報を含む工程の情報を記憶部に記憶する。
そして、ユーザ端末１は、図１２の処理を起動すると、工程の情報を読み出して図６に示すように表示部に表示させ、ユーザに提示する(ステップＳ１１０)。
【００４８】
ユーザが提示された工程の選択操作を行うと、ユーザ端末１は、この操作に応じて工程を選択する(ステップＳ１２０)。
【００４９】
次にユーザ端末１は、工程が完了したことが分かる画像の撮影を促し(ステップＳ１３
０)、ユーザの操作によって撮影し、当該工程に係る画像を取得する(ステップＳ１４０)
。また、ユーザ端末１は、ＧＰＳ等により、現在の位置情報を取得する(ステップＳ１５
０)。なお、画像を撮影済みの画像から選択した場合や他の装置から取得した場合には、
ステップＳ１５０で現在の位置情報を取得するのではなく、画像のＥｘｉｆ情報を用いても良い。
【００５０】
そして、送信ボタン４９Ｄ（図６）が選択されると、ユーザ端末１は、選択した工程の情報として記憶部に記憶されている位置情報を読み出し（ステップＳ１５２）、ステップＳ１５０で取得した位置情報と適合するか否かを判定する(ステップＳ１５４)。なお、位置情報は、完全に一致することに限らず、記憶部に記憶されている位置情報を基準に所定範囲内、例えば半径１００ｍ以内であれば適合したと判定する。また、記憶部に記憶する位置情報を物件の住所とし、ＧＰＳから位置情報として緯度・経度の情報を受信した場合に、住所と緯度・経度とを対応付けた対応テーブルを参照して、記憶部の住所とＧＰＳから取得した緯度・経度とが対応していれば、適合したと判定しても良い。
【００５１】
この結果、適合していなければユーザ端末１はエラーメッセージを表示し(ステップＳ
１５６)、適合していれば、選択された工程と、画像、コメント、位置情報を対応付けて
進捗情報とし、管理サーバ２へ送信する(ステップＳ１６０)。表示例５０は、送信後の状態を示している。なお、画像が複数ある場合、ユーザ端末１は、撮影順やユーザによって指定された順序を示す順序情報を進捗情報に付加する。なお、適合していない場合には、適合していない旨の情報を付加した状態で当該進捗情報を管理サーバ２に送信しても良い。
管理サーバ２は、受信した進捗情報を進捗ＤＢ２５に登録する(ステップＳ２００)。なお、図１２では、端末側でのみ位置情報の適合を判定する処理を示したが、図５の処理と図１２の処理を組み合わせ、端末側と管理サーバ側の双方で位置情報の適合を判定しても良い。
【００５２】
このようにユーザ端末側で位置情報の判定を行うことで、誤った場所の進捗情報を管理サーバ２へ送信すること、即ち、誤った進捗情報を管理サーバ２へ送信することを防止できる。従って、誤った報告（進捗情報）を受けて、管理者側が混乱することを防止できる。
【００５３】
《変形例２》
図１３は、上記実施形態の変形例２である。上記実施形態では、管理装置を一つのサーバとして構成した例を示したが、これに限らず、ネット上の管理サーバと事業所内の管理端末とで管理装置を構成しても良い。なお、その他の構成は前述の実施形態と同じであるため、同一の要素には同符号を付す等して再度の説明を省略する。
【００５４】
本変形例２では、管理サーバ２０１が、受信部２１や、抽出部２２、判定部２３、登録部２４、進捗ＤＢ２５を備え、これらの機能をクラウド型のサービスとして提供し、各事業所の管理端末２０２が管理サーバ２０１から進捗情報を定期的に或は所定のタイミングで取得するデータ取得部２７と、取得した進捗情報の表示や印刷等の出力を制御する出力制御部２６を備え、管理サーバ２０１と管理端末２０２とで管理装置を構成している。なお、管理サーバ２０１及び管理端末２０２が備える機能は、これに限らず、管理サーバ２０１が、受信部２１と進捗ＤＢ２５を備え、管理端末２０２が抽出部２２や、判定部２３、登録部２４、出力制御部２６、データ取得部２７を備えるなど、適宜設定できる。
【００５５】
このように管理装置の一部の機能をネット上の管理サーバ２０１から各事業所の管理端末２０２へ提供、複数事業者で管理サーバ２０１を共用する構成とすることで、各事業者で設置するハードウェア構成を簡素化できる。
【符号の説明】
【００５６】
１  ユーザ端末
２  管理サーバ
１１  提示部
１２  選択部
１３  位置情報取得部
１４  送信制御部
２１  受信部
２２  抽出部
２３  判定部
２４  登録部
Ｎ  通信回線
【図１】
2015212916.tif 000003
【図２】
2015212916.tif 000004
【図３】
2015212916.tif 000005
【図４】
2015212916.tif 000006
【図５】
2015212916.tif 000007
【図８】
2015212916.tif 000008
【図１２】
2015212916.tif 000009
【図１３】
2015212916.tif 000010
【図６】
2015212916.tif 000011
【図７】
2015212916.tif 000012
【図９】
2015212916.tif 000013
【図１０】
2015212916.tif 000014
【図１１】
2015212916.tif 000015